(57)【要約】【課題】簡素な構造によりラッチ杆の回動を拘束及び該拘束の解除ができる家具におけるラッチ装置を備えた扉の施解錠装置を提供する。【解決手段】操作手段６の後部は扉３，３’の背面側まで延在してスライド部材１７と連結され、ラッチ杆８はスライド部材１７の側方に配置されるとともに第１及び２の回動片１４，２９が設けられ、鍵２８の開錠操作では、操作手段６の前方移動に連係して前記スライド部材１７が前方に移動して第１の回動片１４と当接するとともに、第２の回動片２９が扉３，３’裏面に形成した開口部２６に嵌入することでラッチ杆８の回動が許容され、ラッチ装置７が作動できる状態となり、鍵２８の施錠操作では、開口部２６が閉塞されて第２の回動片２９の開口部２６への嵌入を阻止することでラッチ杆８の回動が拘束され、ラッチ装置７が作動不能な状態となる。【選択図】図５
2008223236.tif 000002
【特許請求の範囲】
【請求項１】
家具本体に設けた係合部と係合しうるラッチ爪を有するラッチ杆を、家具本体の開閉自在に枢着された扉の裏面に、ラッチ爪が係合部と係合付勢された状態で軸支し、扉の表面側に設けた前後に移動可能な操作手段に連係して前記ラッチ杆をラッチ爪が係合部から離脱するように回動させるラッチ装置と、扉の表面側からの鍵の操作によって、前記ラッチ装置が作動できる状態と作動不能な状態とに選択可能である施解錠装置と、を備えた家具における家具におけるラッチ装置を備えた扉の施解錠装置であって、
前記操作手段の後部は扉の背面側まで延在してスライド部材と連結され、前記ラッチ杆は前記スライド部材の側方に配置されるとともに第１及び２の回動片が設けられ、鍵の開錠操作では、操作手段の前方移動に連係して前記スライド部材が前方に移動して前記第１の回動片と当接するとともに、前記第２の回動片が扉裏面に形成した開口部に嵌入することでラッチ杆の回動が許容され、前記ラッチ装置が作動できる状態となり、鍵の施錠操作では、前記開口部が閉塞されて前記第２の回動片の開口部への嵌入を阻止することでラッチ杆の回動が拘束され、前記ラッチ装置が作動不能な状態となることを特徴とする家具におけるラッチ装置を備えた扉の施解錠装置。
【請求項２】
前記開口部は施解錠装置の施解錠操作に応じて作動する板体により開閉されることを特徴とする請求項１に記載の家具におけるラッチ装置を備えた扉の施解錠装置。
【請求項３】
前記ラッチ杆は、扉の裏面に固着された取付具に対して回動可能な回動管と、ラッチ爪を有する前記回動管に回動不能に嵌合したラッチ棒とで構成され、前記第２の回動片は前記取付具の近傍の回動管から延設され、前記開口部はスライド部材の長手方向端部近傍に形成され、この開口部の近傍には前記施解錠装置の板体作動部が配置されていることを特徴とする請求項１または２に記載の家具におけるラッチ装置を備えた扉の施解錠装置。
【請求項４】
前記スライド部材の長手方向延長部に前記開口部及び前記板体作動部が直線状に配置され、スライド部材とラッチ杆は略平行となるように配設されていることを特徴とする請求項１ないし３のいずれかに記載の家具におけるラッチ装置を備えた扉の施解錠装置。
【発明の詳細な説明】
【技術分野】
【０００１】
本発明は、家具におけるラッチ装置を備えた扉の施解錠装置に関する。
【背景技術】
【０００２】
従来の家具におけるラッチ装置を備えた施解錠装置は、扉の裏側に取り付けられたラッチ装置の一部である回動管（操作部材）の側方に設けられており、回動管に接近する施錠片を有している。また、回動管には回転中心から偏心している当止部が後方に突設されており、施解錠装置の施錠時には施錠片が当止部に当接して回動管の回動を規制しているものがある（例えば、特許文献１参照）。
【０００３】
【特許文献１】特開２００１−３４２７６４号公報（第４頁、第８図）
【発明の開示】
【発明が解決しようとする課題】
【０００４】
しかしながら、特許文献１にあっては、扉の裏側という非常に限られた空間内で、シャフトの回動を拘束するために施錠片をシャフトを保持した操作部材に直接当接できるように組み付けねばならず、組立作業において大きな手間となっていた。
【０００５】
本発明は、このような問題点に着目してなされたもので、簡素な構造によりラッチ杆の回動を拘束及び該拘束の解除ができる家具におけるラッチ装置を備えた扉の施解錠装置を提供することを目的とする。
【課題を解決するための手段】
【０００６】
前記課題を解決するために、本発明の請求項１に記載の家具におけるラッチ装置を備えた扉の施解錠装置は、
家具本体に設けた係合部と係合しうるラッチ爪を有するラッチ杆を、家具本体の開閉自在に枢着された扉の裏面に、ラッチ爪が係合部と係合付勢された状態で軸支し、扉の表面側に設けた前後に移動可能な操作手段に連係して前記ラッチ杆をラッチ爪が係合部から離脱するように回動させるラッチ装置と、扉の表面側からの鍵の操作によって、前記ラッチ装置が作動できる状態と作動不能な状態とに選択可能である施解錠装置と、を備えた家具におけるラッチ装置を備えた扉の施解錠装置であって、
前記操作手段の後部は扉の背面側まで延在してスライド部材と連結され、前記ラッチ杆は前記スライド部材の側方に配置されるとともに第１及び２の回動片が設けられ、鍵の開錠操作では、操作手段の前方移動に連係して前記スライド部材が前方に移動して前記第１の回動片と当接するとともに、前記第２の回動片が扉裏面に形成した開口部に嵌入することでラッチ杆の回動が許容され、前記ラッチ装置が作動できる状態となり、鍵の施錠操作では、前記開口部が閉塞されて前記第２の回動片の開口部への嵌入を阻止することでラッチ杆の回動が拘束され、前記ラッチ装置が作動不能な状態となることを特徴としている。
この特徴によれば、扉裏面に形成した開口部を開閉作動させるという簡素な構成によって、ラッチ杆に設けられた第２の回動片の回動を拘束してラッチ装置の動作を規制することができるとともに、ラッチ杆の回動ストロークを扉への開口部の形成で確保しているため、ラッチ装置全体が扉背面側に寄せられることで、全体を薄くすることができる。
【０００７】
本発明の請求項２に記載の家具におけるラッチ装置を備えた扉の施解錠装置は、請求項１に記載の家具におけるラッチ装置を備えた扉の施解錠装置であって、
前記開口部は施解錠装置の施解錠操作に応じて作動する板体により開閉されることを特徴としている。
この特徴によれば、開口部の開閉を板体で行うことで、施解錠装置の扉の裏面に占めるスペースを抑えることができる。
【０００８】
本発明の請求項３に記載の家具におけるラッチ装置を備えた扉の施解錠装置は、請求項２に記載の家具におけるラッチ装置を備えた扉の施解錠装置であって、
前記ラッチ杆は、扉の裏面に固着された取付具に対して回動可能な回動管と、ラッチ爪を有する前記回動管に回動不能に嵌合したラッチ棒とで構成され、前記第２の回動片は前記取付具の近傍の回動管から延設され、前記開口部はスライド部材の長手方向端部近傍に形成され、この開口部の近傍には前記施解錠装置の板体作動部が配置されていることを特徴としている。
この特徴によれば、回動管が取付具により回動支持されているので、ラッチ杆を確実且つ安定して回動させることができる。また、開口部がスライド部材の端部近傍に、施解錠装置の板体作動部が開口部の近傍に配置されているので、扉の背面側に、開口部、第２の回動片及び板体作動部をコンパクトに集合配置させることができる。
【０００９】
本発明の請求項４に記載の家具におけるラッチ装置を備えた扉の施解錠装置は、請求項１ないし３のいずれかに記載の家具におけるラッチ装置を備えた扉の施解錠装置であって、
前記スライド部材の長手方向延長部に前記開口部及び前記板体作動部が直線状に配置され、スライド部材とラッチ杆は略平行となるように配設されていることを特徴としている。
この特徴によれば、スライド部材、ラッチ杆及び板体作動部の扉背面側に占めるスペースを極力抑えることができる。
【発明を実施するための最良の形態】
【００１０】
本発明に係る家具におけるラッチ装置を備えた扉の施解錠装置を実施するための最良の形態を実施例に基づいて以下に説明する。
【実施例】
【００１１】
本発明の実施例を図面に基づいて説明すると、先ず図１は、本発明のラッチ装置が適用されたキャビネットの斜視図であり、図２は、ガラス扉の背面側の要部を示す拡大斜視図であり、図３は、ラッチ装置を示すガラス扉の拡大背面図であり、図４は、ラッチ爪が係合部と係合しているときの図３におけるラッチ装置のＡ−Ａ縦断側面図であり、図５は、ラッチ爪が係合部から離脱しているときのガラス扉開放時のラッチ装置の動きを示すラッチ装置のＡ−Ａ縦断側面図であり、図６は、ラッチ装置の上方でのラッチ爪と係合部の係合状態を示す斜視図であり、図７（ａ）は、ガラス扉閉止時の図３におけるスライド部材とコイルバネを示すＢ−Ｂ端面図であり、図７（ｂ）は、把手を前方に摺動させたときの図３におけるスライド部材とコイルバネを示すＢ−Ｂ端面図であり、図８（ａ）は、ガラス扉が解錠されている状態を示す図３におけるＣ−Ｃ端面図であり、図８（ｂ）は、ガラス扉が施錠された状態を示す図３におけるＣ−Ｃ端面図である。以下、図４および図５の紙面左側をラッチ装置の正面側とし、図７および図８の紙面上方側をラッチ装置の正面側として説明する。
【００１２】
図１の符号１は、本実施例における家具本体としてのキャビネットであり、このキャビネット１は内部に棚板２が上下に連設されており、本体正面には開口部の左右両側端部には、本実施例における扉としての観音開き式の一対のガラス扉３，３’が取り付けられている。このガラス扉３，３’は同一構成につき一方のガラス扉３について説明する。
【００１３】
ガラス扉３は外側端を蝶番（図示略）によって正面方向に回動自在に枢着されており、このガラス扉３は、ガラス部としての正面視矩形状のガラス板４と、ガラス板４に左右から取り付けられたパネル５，５’で構成されている。
【００１４】
ガラス板４がガラス扉３に取り付けられていることにより、ガラス扉３が閉じた状態でもキャビネット１内の収容物が視認できるようになっている。また、中央に位置するパネル５，５の正面側には、キャビネット１を開閉するための把手６が取り付けられている。
【００１５】
本発明のラッチ装置７について説明すると、図２及び図３に示すように、パネル５の裏面には、ラッチ杆８が上下方向にパネル５の長手方向に沿うように延設されている。このラッチ杆８は、それぞれ略円筒形状である回動管８ａと、この回動管８ａと一体的に結合したラッチ棒８ｂ，８ｃより構成されており、螺子３１により螺着されている側面視略Ｌ字状の本実施例における取付具としての支持部材９ａ，９ｂ間に回動自在に設けられている。
【００１６】
また、回動管８ａの上面及び下面には嵌合穴８ｄが形成されているとともに、ラッチ棒８ｂの下端とラッチ棒８ｃの上端にはそれぞれ嵌合突起８ｅが形成されている（図６参照）。そして、回動管８ａの上下面に形成された嵌合穴８ｄ，８ｄに上方からラッチ棒８ｂ、下方からラッチ棒８ｃの嵌合突起８ｅ，８ｅがそれぞれ嵌合され、回動管８ａとラッチ棒８ｂ，８ｃは一体化される。
【００１７】
また、図６に示す如くラッチ棒８ｂの上端にはラッチ爪１０ａが設けられており、このラッチ爪１０ａは図３に示すように、キャビネット１の天板１２下面に取り付けられた係合部１１ａに対して係脱可能に取り付けられている。ラッチ棒８ｃの下端とキャビネット１の底板１３上面についてもラッチ爪１０ｂと係合部１１ｂによる同一構成となっており、ガラス扉３の閉止時には、ラッチ爪１０ａ，１０ｂが係合部１１ａ，１１ｂにそれぞれ付勢ばねにより係合されて容易にガラス扉３が開かないようになっている。
【００１８】
更に、ラッチ杆８は、パネル５の背面側で上下方向に延設されていることで、このパネル５により正面視からは隠蔽されているので、ガラス板４により構成されたガラス扉３であっても外観を損ねることなくラッチ杆８を取り付けることができる。
【００１９】
図２及び図４に示すように、ラッチ杆８の中央近傍、詳しくは回動管８ａの円周面からは、２枚の第１の回動片１４，１４が背面視左側（図２参照）に延設されている。また、パネル５裏面には、第１の回動片１４，１４と対向して本実施例における凹所としての凹穴１５，１５が形成されている。この凹穴１５，１５には本実施例における付勢ばねとしてのコイルバネ１６，１６の一端が係合支持されており、他端は第１の回動片１４，１４に、第１の回動片１４，１４がパネル５の裏面から離間する方向（図７（ａ）参照）に付勢されるように取り付けられている。
【００２０】
このコイルバネ１６，１６の付勢により、ラッチ杆８はラッチ爪１０ａ，１０ｂが、係合部１１ａ，１１ｂから容易に離脱しないように付勢係合された状態で軸支されている。
【００２１】
また、回動管８ａの裏面視左側には、正面視矩形状であり、上下端面が前方に延設されて嵌合片１７ａ，１７ｂに形成されているスライド部材１７が回動管８ａと略平行となるように設けられており、その前方側が第１の回動片１４，１４の先端と当接あるいは当接可能に配設されている。この嵌合片１７ａ，１７ｂの外面は、後述する摺動補助具２２の摺接片２２ｂと摺接可能な平坦面となっている。
【００２２】
このスライド部材１７のパネル５と対向する側の中央部には、図７（ａ）に示すように、スライド部材１７の上方から下方にかけてリブ１７ｃが突出形成されている。このとき、リブ１７ｃの側面には、第１の回動片１４，１４を付勢しているコイルバネ１６，１６の側部が近接されている。しかし、コイルバネ１６，１６をリブ１７ｃの側面に沿って伸縮可能となるように当接させるようにしてもよい。このように、コイルバネ１６，１６の側部に対して当接、あるいは近接して配置すれば、コイルバネ１６，１６の伸縮時にはその姿勢を安定して作動させることができる。
【００２３】
更に、図４に示すように、パネル５には、スライド部材１７の上下端と対向する位置に取付孔１８，１８が貫通形成されており、取付孔１８，１８のパネル５背面側には段付き凹部１９，１９が形成されている。この取付孔１８，１８には、本実施例におけるガイド部材としての軸受ブッシュ２１，２１がパネル５正面側から挿嵌保持されている。
【００２４】
これら軸受ブッシュ２１は、先端に一体形成されてパネル５の正面より突出する本実施例における箱状部としての角筒部２１ａと、軸受ブッシュ２１の後端に形成され、段付き凹部１９，１９に弾力的に係合する可撓爪部２１ｃと、角筒部２１ａと可撓爪部２１ｃを連結する筒状部２１ｂとから構成されている。尚、筒状部２１ｂの内面には、後述する連結軸２４を前後方向に摺動支持するスリーブ２３が挿入されている。
【００２５】
また、段付き凹部１９，１９の外周縁には、更に嵌合凹部２０，２０が段付き凹部１９，１９より後端で段を設けて形成されており、この嵌合凹部２０，２０には摺動補助具２２，２２が嵌合されている。
【００２６】
これら摺動補助具２２は、嵌合凹部２０に嵌合されるとともに、パネル５の裏面に螺子３２により螺着される支持部２２ａと、後方に延設された摺接片２２ｂとで構成され、この摺接片２２ｂのスライド部材１７端面側と対向する内側面には、スライド部材１７の嵌合片１７ａ，１７ａと摺接する平坦な摺接面２２ｃが、その相対向する面が平行となるように形成されている。
【００２７】
更に、支持部２２ａの中心にはスリーブ２３が挿入可能なようにスリーブ２３と略同径の摺動孔２２ｄが形成されており、支持部２２ａの摺接片２２ｂ近傍にはスライド部材１７の嵌合片１７ａ，１７ｂが嵌合する嵌合溝２２ｅが形成されている。
【００２８】
尚、軸受ブッシュ２１，２１の角筒部２１ｂ，２１ｂには、側面視後ろ向きコ字状に形成された把手６の上下後端部がそれぞれ嵌合される。また、スライド部材１７の上下両端部から連結軸２４，２４が角筒部２１ｂ，２１ｂ内のスリーブ２３，２３に挿通され、連結軸２４，２４の端部は把手６の上下端部に螺着される。これにより把手６とスライド部材１７は、互いに相対移動不能に連結される。
【００２９】
次にラッチ装置７の作動について説明する。ラッチ爪１０ａ，１０ｂが係合部１１ａ，１１ｂと係合している状態である図４において、使用者が把手６を白抜き矢印の如く前方に引くことで、連結軸２４を介してスライド部材１７はその嵌合片１７ａ，１７ｂが摺動補助具２２，２２の摺接面２２ｃ，２２ｃと摺接しながら前方に摺動し、図５に示した状態となる。
【００３０】
このとき、軸受ブッシュ２１，２１の角筒部２１ａ，２１ａは把手６の上下後端を前後摺動可能にガイドしており、更に筒状部２１ｂ，２１ｂ内のスリーブ２３，２３を介して連結軸２４，２４を前後摺動可能にガイドしている。
【００３１】
また、このスライド部材１７の前方への摺動に伴い、コイルバネ１６，１６は、図７（ａ）に示した付勢状態から、図７（ｂ）に示すように、スライド部材１７の前方の摺動に抗する圧縮された状態となると共に、第１の回動片１４，１４が角度θ（略３０度）回動することによりラッチ杆８の回動に変換される。これにより、上下のラッチ棒８ａ，８ｂは回動されてラッチ爪１０ａ，１０ｂが係合部１１ａ，１１ｂから離脱し、ガラス扉３が開放可能となる。尚、ラッチ爪１０ａ，１０ｂが外れる角度は３０度に限定されることなく任意の角度に設定可能である。
【００３２】
尚、ラッチ爪１０ａ，１０ｂ及び係合部１１ａ，１１ｂの先端は略円弧形状をしており、ガラス扉３の閉止時には使用者が把手６を持ってガラス扉３を押すか、直接ガラス扉３を押し込むと、ラッチ爪１０ａ，１０ｂと係合部１１ａ，１１ｂの先端が互いに当接されるからコイルバネ１６，１６の付勢力に抗してラッチ杆８が回動し、その後、コイルバネ１６，１６の付勢力によりラッチ爪１０ａ，１０ｂは自動的に係合部１１ａ，１１ｂに係合されてガラス扉３が閉止される。
【００３３】
次にラッチ装置７の一部である本実施例における施解錠装置としてのロック装置２５について説明すると、図３及び図４に示すように、パネル５裏面のスライド部材１７の下方には、開口部２６が形成されており、更に、開口部２６の下方には上下に摺動可能な本実施例における板体としてのスライド板２５ａが備えられたロック装置２５が取り付けられている。
【００３４】
このロック装置２５はパネル５の表面から裏面にかけて貫通形成された貫通孔２７に挿通されて取り付けられており、パネル５正面側にはキー２８を挿通して回動させるキーシリンダ２５ｃを有し、パネル５背面側には上下に摺動可能なスライド板２５ａと、このスライド板２５ａを上下に摺動させる本実施例における板体作動部としてのスライド板作動部２５ｂを有している。尚、スライド部材１７と開口部２６、スライド板作動部２５ｂはスライド部材１７の長手方向延長部に直線状に並んでかつ互いに近接して配置されている。
【００３５】
ロック装置２５のキーシリンダ２５ｃとスライド板作動部２５ｂは連係して動作する。詳しくは、先ず使用者がキーシリンダ２５ｃにキー２８を挿通させ、更にキー２８を正面視左右方向に回動させる。この回動によりスライド板作動部２５ｂがスライド板２５ａを上下に摺動させ、スライド板２５ａを上方移動により開口部２６を閉塞する構成となっている。
【００３６】
また、開口部２６の近傍には、回動管８ａの下方部である支持部材９ｂ近傍から第２の回動片２９が左側に延設されており、ガラス扉３が開放される際にラッチ杆８の回動を許容するために第２の回動片２９が開口部２６に嵌入される構成となっている。
【００３７】
こうすることで、図８（ａ）に示すように、スライド板２５ａが開口部２６を閉塞していない解錠状態では、スライド部材１７が把手６の前方への移動と連係して、スライド部材１７が第１の回動片１４，１４を前方に押圧させて回動管８ａが回動する際に、回動管８ａから延設されている第２の回動片２９が開口部２６に嵌入することで、ラッチ杆８の回動が許容される。これによりラッチ杆８の上下端に取り付けられているラッチ爪１０ａ，１０ｂが係合部１１ａ，１１ｂから離脱してガラス扉３が開放される。
【００３８】
また、図８（ｂ）に示すように、キー２８の操作によりスライド板２５ａが開口部２６を閉塞している施錠状態では、スライド部材１７が把手６と連係して第１の回動片１４，１４を前方に押圧しても、第２の回動片２９が開口部２６に嵌入することができず、スライド板２５ａに当接するので、ラッチ杆８の回動が拘束され、ラッチ爪１０ａ，１０ｂが係合部１１ａ，１１ｂより離脱できず、ガラス扉３の開放を阻止する。
【００３９】
以上説明したように、ガラス扉３裏面に形成した開口部２６を開閉作動させるという簡素な構成によって、ラッチ杆８に設けられた第２の回動片２９の回動を拘束してラッチ装置７の動作を規制することができるとともに、ラッチ杆８の回動ストロークをガラス扉３への開口部２６の形成で確保しているため、ラッチ装置７全体がガラス扉３背面側に寄せられることで、全体を薄くすることができる。
【００４０】
また、開口部２６の開閉をスライド板２５ａで行うことで、ロック装置２５のガラス扉扉３の裏面に占めるスペースを抑えることができる。
【００４１】
また、回動管８ａが支持部材９ａ，９ｂにより回動支持されているので、ラッチ杆８を確実且つ安定して回動させることができる。また、開口部２６がスライド部材１７の端部近傍に、ロック装置２５のスライド板作動部２５ｂが開口部２６の近傍に配置されているので、ガラス扉３の背面側に、開口部２６、第２の回動片２９及びスライド板作動部２５ｂをコンパクトに集合配置させることができる。
【００４２】
また、スライド部材１７、ラッチ杆８及びスライド板作動部２５ｂの扉背面側に占めるスペースを極力抑えることができる。
【００４３】
以上、本発明の実施例を図面により説明してきたが、具体的な構成はこれら実施例に限られるものではなく、本発明の要旨を逸脱しない範囲における変更や追加があっても本発明に含まれる。
【００４４】
例えば、前記実施例では、ラッチ杆８を回動管８ａと２つのラッチ棒８ｂ，８ｃで構成した例で説明したが、回動管８ａとラッチ棒８ｂ，８ｃが一体化した一本の棒部材で構成してもよい。
【００４５】
また、ロック装置２５はスライド部材１７の下方に配置した例で説明したが、スライド部材１７の上方であってもよく、その位置はガラス扉３の任意の位置に設定可能である。更に、パネル５裏面に設けた開口部２６の位置も第２の回動片２９の回動位置により決まるものであり、第２の回動片２９を回動管８ａでなくラッチ棒８ｂ側やラッチ棒８ｃ側に設けることも可能である。したがって、スライド部材１７と閉口部２６、スライド板作動部２５ｂはスライド部材１７の長手方向延長部に直線状に並んでかつ互いに近接して配置させなくてもよい。
【００４６】
また、前記実施例では、キー２８の操作によりスライド板２５ａが直線的に移動して開口部２６の開閉を行った例で説明したが、スライド板２５ａの移動方向は適時設定されるものであり、回転する方式にしても構わない。
【００４７】
更に、前記実施例では、ラッチ杆８を上下に配置した例で説明したが、家具本体に対して左右に配置し、扉を上下に開閉する家具にも適用することができる。
【図面の簡単な説明】
【００４８】
【図１】本発明のラッチ装置が適用されたキャビネットを示す斜視図である。
【図２】ガラス扉の背面側の要部を示す拡大斜視図である。
【図３】ラッチ装置を示すガラス扉の拡大背面図である。
【図４】ラッチ爪が係合部と係合しているときの図３におけるラッチ装置のＡ−Ａ縦断側面図である。
【図５】ラッチ爪が係合部から離脱しているときのガラス扉開放時のラッチ装置の動きを示すラッチ装置のＡ−Ａ縦断側面図である。
【図６】ラッチ装置の上方でのラッチ爪と係合部の係合状態を示す斜視図である。
【図７】（ａ）は、ガラス扉閉止時の図３におけるスライド部材とコイルバネを示すＢ−Ｂ端面図であり、（ｂ）は、把手を前方に摺動させたときの図３におけるスライド部材とコイルバネを示すＢ−Ｂ端面図である。
【図８】（ａ）は、ガラス扉が解錠されている状態を示図３におけるＣ−Ｃ端面図であり、（ｂ）は、ガラス扉が施錠された状態を示す図３におけるＣ−Ｃ端面図である。
【符号の説明】
【００４９】
１                キャビネット（家具本体）
２                棚板
３，３’          ガラス扉（扉）
４                ガラス板
５，５’          パネル
６                把手
７                ラッチ装置
８                ラッチ杆
８ａ              回動管
８ｂ              ラッチ棒
８ｃ              ラッチ棒
８ｄ              嵌合穴
８ｅ              嵌合突起
９ａ，９ｂ        支持部材（取付具）
１０ａ，１０ｂ    ラッチ爪
１１ａ，１１ｂ    係合部
１４              回動片（第１の回動片）
１５              凹穴（凹所）
１６              コイルバネ（付勢ばね）
１７              スライド部材
１７ａ，１７ｂ    嵌合片
１８              取付孔
１９              段付き凹部
２０              嵌合凹部
２１              軸受ブッシュ（ガイド部材）
２１ａ            角筒部（箱状部）
２１ｂ            筒状部
２１ｃ            可撓爪部
２２              摺動補助具
２２ａ            支持部
２２ｂ            摺接片
２２ｃ            摺接面
２２ｄ            摺動孔
２２ｅ            嵌合溝
２４              連結軸
２５              ロック装置（施解錠装置）
２５ａ            スライド板（板体）
２５ｂ            スライド板作動部（板体作動部）
２５ｃ            キーシリンダ
２６              開口部
２８              キー
２９              第２の回動片
【図１】
2008223236.tif 000003
【図２】
2008223236.tif 000004
【図３】
2008223236.tif 000005
【図４】
2008223236.tif 000006
【図５】
2008223236.tif 000007
【図６】
2008223236.tif 000008
【図７】
2008223236.tif 000009
【図８】
2008223236.tif 000010